(57)【要約】【課題】  携帯端末装置２を用いたモバイル環境において、ドキュメント識別子に基づいて印刷等で可視化出力するドキュメントの内容をユーザに確認させるために、ドキュメントのサムネイル画像をドキュメント識別子と共に携帯端末装置２に電子メールにより送信する。【解決手段】  ドキュメント処理装置１が、原稿ＤＡからドキュメントを入力し、当該ドキュメントにドキュメントＩＤを付与し、ドキュメントのサムネイル画像を生成して、ヘッダ部にドキュメントＩＤを記述し、添付ファイルにサムネイル画像を納めた電子メールＥＭを携帯端末装置２へ送信する。携帯端末装置２は電子メールＥＭのサムネイル画像を画面２２に表示してユーザに内容確認をさせ、ドキュメントＩＤを含む出力指示をドキュメント処理装置１へ送信する。ドキュメント処理装置１は、該当するドキュメント原稿ＤＢを印刷出力する。【選択図】  図１
2006146625.tif 000002
【特許請求の範囲】
【請求項１】
携帯端末装置がドキュメント出力装置へドキュメント識別子を出力して、当該ドキュメント出力装置からドキュメントを可視化出力するに際し、当該携帯端末装置でドキュメントのサムネイル画像を画面表示して確認することを可能にするためのドキュメント処理装置であって、
ドキュメント識別子を含み且つサムネイル画像を添付ファイルとして添付した携帯端末装置宛ての電子メールを作成する電子メール作成手段と、
当該作成された電子メールを送信する識別子送信手段と、を備えることを特徴とするドキュメント処理装置。
【請求項２】
携帯端末装置がドキュメント出力装置へドキュメント識別子を出力して、当該ドキュメント出力装置からドキュメントを可視化出力するに際し、当該携帯端末装置でドキュメントのサムネイル画像を画面表示して確認することを可能にするためのドキュメント処理装置であって、
サムネイル画像をデータサーバに登録するサムネイル登録手段と、
ドキュメント識別子とサムネイル画像を当該データサーバから取得するためのＵＲＬとを含む携帯端末装置宛ての電子メールを作成する電子メール作成手段と、
当該作成された電子メールを送信する識別子送信手段と、を備えることを特徴とするドキュメント処理装置。
【請求項３】
請求項１に記載のドキュメント処理装置において、
前記電子メール作成手段は、ドキュメント識別子を電子メールの送信者アドレス欄に記述することを特徴とするドキュメント処理装置。
【請求項４】
請求項１に記載のドキュメント処理装置において、
前記電子メール作成手段は、ドキュメント識別子を電子メールの本文中に記述することを特徴とするドキュメント処理装置。
【請求項５】
請求項１に記載のドキュメント処理装置において、
前記電子メール作成手段は、ドキュメント識別子を電子メールのタイトル欄に記述することを特徴とするドキュメント処理装置。
【請求項６】
請求項１に記載のドキュメント処理装置において、
前記電子メール作成手段は、ドキュメント識別子をサムネイル画像中に含ませることを特徴とするドキュメント処理装置。
【請求項７】
請求項１乃至請求項６のいずれか１項に記載のドキュメント処理装置において、
処理対象のドキュメントに対してドキュメント識別子を付与する識別子付与手段を更に備えたことを特徴とするドキュメント処理装置。
【請求項８】
請求項１乃至請求項７のいずれか１項に記載のドキュメント処理装置において、
処理対象のドキュメントからサムネイル画像を生成するサムネイル生成手段を更に備えたことを特徴とするドキュメント処理装置。
【請求項９】
携帯端末装置がドキュメント出力装置へドキュメント識別子を出力して、当該ドキュメント出力装置からドキュメントを可視化出力するに際し、当該携帯端末装置でドキュメントのサムネイル画像を画面表示して確認することを可能にするためのドキュメント処理装置を、コンピュータにより構成するプログラムであって、
ドキュメント識別子を含み且つサムネイル画像を添付ファイルとして添付した携帯端末装置宛ての電子メールを作成する電子メール作成手段と、
当該作成された電子メールを送信する識別子送信手段と、をコンピュータに構成することを特徴とするドキュメント処理プログラム。
【請求項１０】
携帯端末装置がドキュメント出力装置へドキュメント識別子を出力して、当該ドキュメント出力装置からドキュメントを可視化出力するに際し、当該携帯端末装置でドキュメントのサムネイル画像を画面表示して確認することを可能にするためのドキュメント処理装置を、コンピュータにより構成するプログラムであって、
サムネイル画像をデータサーバに登録するサムネイル登録手段と、
ドキュメント識別子とサムネイル画像を当該データサーバから取得するためのＵＲＬとを含む携帯端末装置宛ての電子メールを作成する電子メール作成手段と、
当該作成された電子メールを送信する識別子送信手段と、をコンピュータに構成することを特徴とするドキュメント処理プログラム。
【請求項１１】
携帯端末装置がドキュメント出力装置へドキュメント識別子を出力して、当該ドキュメント出力装置からドキュメントを可視化出力するに際し、当該携帯端末装置でドキュメントのサムネイル画像を画面表示して確認することを可能にするために、ドキュメント処理装置が行うドキュメント処理方法であって、
ドキュメント識別子を含み且つサムネイル画像を添付ファイルとして添付した携帯端末装置宛ての電子メールを作成し、
当該作成された電子メールを送信することを特徴とするドキュメント処理方法。
【請求項１２】
携帯端末装置がドキュメント出力装置へドキュメント識別子を出力して、当該ドキュメント出力装置からドキュメントを可視化出力するに際し、当該携帯端末装置でドキュメントのサムネイル画像を画面表示して確認することを可能にするために、が行うドキュメント処理方法であって、
サムネイル画像をデータサーバに登録し、
ドキュメント識別子とサムネイル画像を当該データサーバから取得するためのＵＲＬとを含む携帯端末装置宛ての電子メールを作成し、
当該作成された電子メールを送信することを特徴とするドキュメント処理方法。
【発明の詳細な説明】
【技術分野】
【０００１】
本発明は、携帯電話機やＰＤＡ等といった無線通信機能と画面表示機能とを有する携帯端末装置を用いて、ドキュメントを特定して当該ドキュメントをプリンタや画像表示装置等で印刷や画面表示等して可視化出力するドキュメント処理技術に関し、特に、可視化出力するドキュメントを携帯端末装置で確認することができるように電子メールでサムネイル画像を送信する技術に関する。
【背景技術】
【０００２】
近年、携帯電話、ＰＤＡ、ノートＰＣ等のモバイル機器（携帯端末装置）の進化と普及、ネットワーク網の整備、また、赤外線通信、IEEE802.11系、Bluetooth等の近距離無線通信の実用化に伴い、モバイル環境下でもドキュメントを入手し、必要に応じて、ドキュメントを印刷出力するニーズが高まっている。
ネットワーク通信機能、プリンター、スキャナー等の複合的な機能を持つドキュメント処理装置も、オフィスに止まらず、店舗、公共のスペースに設置され始めてきており、このようなモバイル環境下でドキュメントを印刷出力できる仕組みがいくつか提案されている。
【０００３】
代表的なシステムとしては、ドキュメントをネットワーク上のサーバにアップロードしておき、そのドキュメントに対応するコード情報をモバイル機器がネットワーク網を利用して取得し、モバイル機器から近距離無線通信手段を用いて印刷装置にコード情報を転送し、印刷装置がコード情報に対応するドキュメントをサーバーから取得して出力するものがある。なお、コード情報には、ドキュメント固有の予約番号である場合やドキュメントが格納されるＵＲＬ情報などが想定されている。
【０００４】
また、無線送受信部を有する携帯情報端末と、無線送受信部及び記憶部を有して有線ネットワークに接続されている複数の印刷装置と、有線ネットワークに接続されているクライアント端末と、有線ネットワークに接続されている管理サーバ端末とを備えた無線印刷システムにおいて、ユーザがクライアント端末からドキュメントを印刷したい場合、印刷データを一旦管理サーバ端末に蓄積し、ユーザは印刷データが蓄積されたことが通知された後、携帯情報端末を利用して任意の時間に任意の印刷装置からドキュメントを印刷する発明が提案されている（特許文献１参照）。
【０００５】
また、携帯電話機が、第１無線手段により文書サーバ１にアクセスしてドキュメントをディスプレイにより閲覧し、また、第２無線手段によりプリンタの識別情報を取得する。そして、携帯電話機が、閲覧したドキュメントの中の印刷したいドキュメントを指定し、プリンタ識別情報とともに文書サーバへ送信すると、文書サーバが、指定されたドキュメントをプリンタが印刷可能なデータに変換して携帯電話機へ与える。そして、携帯電話機が与えられたドキュメントデータを第２無線手段によりプリンタへ送り、プリンタでドキュメントを印刷する発明が提案されている（特許文献２参照）。 
【０００６】
また、プリントサービスサーバに端末装置から受信した印刷データに受信者ＩＤと発信者ＩＤとを割当てる処理管理部と、印刷データと識別データとを記憶するデータ保持部と、印刷データを検索するデータ記憶検索部と、プリンタに識別データを指定するための端末装置を備えたシステム構成として、識別データが入力されると、プリントサービスサーバがデータ記憶検索部より通知された識別データに対応する印刷データを検索して、その識別データを通知したプリンタに対応する印刷データを転送する発明が提案されている（特許文献３参照）。 
【０００７】
また、携帯端末が、サーバ・システムにアクセスし、サーバ・システムから印字出力用情報を携帯端末が取得して印字出力用情報を格納し、画像形成装置と接続されることで、画像形成装置に印字出力用情報を送信して、画像形成装置により印字出力用情報に基づいてドキュメント画像を形成して出力する発明が提案されている（特許文献４参照）。 
【特許文献１】特開２００２―３４２０５７号公報
【特許文献２】特開２００３―１１４７７３号公報
【特許文献３】特開２００２―０３２２０５号公報
【特許文献４】特開２００３―０８４９２５号公報
【発明の開示】
【発明が解決しようとする課題】
【０００８】
携帯端末装置（モバイル機器）として、現在最も普及している携帯電話機を利用したい場合でも、モバイル機器の制約から直接ドキュメントをハンドリングできなくても、これらドキュメント固有の識別子（ＩＤ情報）を携帯電話機が扱える電子フォーマットに埋め込み、携帯電話機が有する赤外線通信機能やBluetooth等の近距離無線通信手段を用いて転送するとことで、簡単に印刷装置にドキュメントＩＤを転送してドキュメントを印刷出力させることが可能と考えられる。
【０００９】
このようにドキュメント固有のＩＤ情報を携帯電話のようなモバイル機器に送信する仕組みをスキャナやプリンタ機能等を備える複合機が持つケースも想定される。例えば、ドキュメントをスキャナで読み取り、このドキュメントにドキュメントＩＤを生成して付与し、モバイル機器に生成したドキュメントＩＤのみを送信して、必要に応じて、モバイル機器が複合機にドキュメントＩＤを入力することで、ドキュメントを印刷出力する仕組みを想定することができる。
また、ドキュメントＩＤを携帯電話機が解釈できる電子フォーマットに埋め込んでおき、電子メールで携帯電話機に送信することで、携帯電話機を保有するユーザがどこにいてもドキュメントＩＤを受け取ることを可能にすることができる。
【００１０】
このような仕組みとすることで、携帯電話機では扱えないフォーマットのドキュメントであっても、或いは、ドキュメントのファイルサイズが大きくて電子メールで扱えない場合であっても、例えば、外出先にある印刷装置からドキュメントを印刷して取り出すことが可能となる。
【００１１】
しかしながら、上記の仕組みにあっては、携帯電話機に送信されてくるのはドキュメントＩＤでドキュメントの内容に関する情報が無いため、ユーザはどのようなドキュメントが引き出せるのか分からないという課題がある。特に、複数のドキュメントＩＤが送信された場合や、携帯電話機が複数のドキュメントＩＤを保有している場合には、引き出したいドキュメントが分からないという課題がある。
【００１２】
本発明は、上記従来の事情に鑑みなされたもので、携帯端末装置を用いたモバイル環境において、ドキュメント識別子に基づいて印刷等で可視化出力するドキュメントの内容をユーザに確認させるために、ドキュメントのサムネイル画像をドキュメント識別子と共に携帯端末装置に電子メールにより送信することができるようにすることを目的としている。
【課題を解決するための手段】
【００１３】
本発明は、携帯端末装置がドキュメント出力装置へドキュメント識別子を出力して、当該ドキュメント出力装置からドキュメントを可視化出力するに際し、当該携帯端末装置でドキュメントのサムネイル画像を画面表示して確認することを可能にするためのドキュメント処理装置として実施される他、当該ドキュメント処理装置をコンピュータにより構成するプログラム、ドキュメント処理装置によりなされるドキュメント処理方法として実施される。
【００１４】
本発明の典型的な態様であるドキュメント処理装置では、電子メール作成手段がドキュメント識別子を含み且つサムネイル画像を添付ファイルとして添付した携帯端末装置宛ての電子メールを作成し、識別子送信手段が作成された電子メールを送信する。
したがって、ドキュメント処理装置において、ドキュメントを特定するドキュメント識別子と共に当該ドキュメント内容を示すサムネイル画像を、既に構築されている電子メールシステムやプロトコルを利用して携帯端末装置へ送信することができ、携帯端末装置のユーザが、ドキュメント識別子に基づいてドキュメントを可視化出力する場合には、事前にサムネイル画像によりドキュメント内容を確認することができる。
【００１５】
また、本発明では、サムネイル登録手段がサムネイル画像をデータサーバに登録し、電子メール作成手段がドキュメント識別子とサムネイル画像を当該データサーバから取得するためのＵＲＬとを含む携帯端末装置宛ての電子メールを作成して、識別子送信手段が当該電子メールを送信する。
したがって、上記のようなサムネイル画像によるドキュメント内容の事前確認を、小さなデータサイズの電子メールでの送信処理で行うことができ、また、送信側と受信側との電子メールシステムの不整合により送信添付ファイルが削除されてしまう場合でも、電子メールの本体中にサムネイルＵＲＬを記述することで、携帯端末装置にサムネイル画像を取得させることができる。
【００１６】
ここで、ドキュメント識別子は、例えばドキュメント識別子を電子メールの本文中に記述すると言ったように種々な方法で電子メールに含ませることができるが、ドキュメント識別子を電子メールの送信者アドレス欄に記述する、或いは、ドキュメント識別子を電子メールのタイトル欄に記述すると言ったように電子メールのヘッダ部に記述するのが好ましく、これによって、送信側と受信側との電子メールシステムの不整合により電子メールのヘッダ部だけが受信される場合でも、携帯端末装置にドキュメント識別子を受信させることができる。
なお、ドキュメント識別子は、サムネイル画像中に記述したり、或いは、識別子コードをサムネイル画像中に埋め込むようにしてもよく、携帯端末装置で受信した電子メールからドキュメント識別子を抽出できる態様であればよい。
【発明の効果】
【００１７】
本発明によると、携帯端末装置を用いたモバイル環境において、ドキュメント識別子に基づいて印刷等で可視化出力するドキュメントの内容をサムネイル画像により携帯端末装置で容易に確認することができ、携帯端末装置のユーザが所望のドキュメントを得ることができる。
【発明を実施するための最良の形態】
【００１８】
本発明を実施形態に基づいて具体的に説明する。
図１乃至図３は、それぞれ本発明に係るドキュメント処理システムの異なる実施例を示している。
図１に示す例はドキュメント処理装置１を一体的な装置構成としたシステム構成であり、ドキュメント処理装置１はドキュメント原稿ＤＡを光学読取するスキャナ機能、電子メールＥＭ等のネットワーク通信機能、赤外線通信やBluetooth等の近距離無線通信機能（或いは、ケーブル接続による近距離通信機能）、ドキュメントを印刷してドキュメント原稿ＤＢを出力するプリンタ機能等を備えた複合機である。
また、携帯電話機やＰＤＡ等からなる携帯端末装置（以下の例では携帯電話機）２は、電子メールＥＭ等の通信を行う無線通信機能、ユーザ操作入力を受け付ける操作ボタン等の操作手段２１、サムネイル画像等を表示する画面表示する表示手段２２を備えている。
【００１９】
図１に示す例では、ドキュメント処理装置１が、ドキュメント原稿ＤＡからドキュメントを読み取って入力し、当該ドキュメントにドキュメント識別子（ＩＤ）を付与し、また、当該ドキュメントのサムネイル画像を生成して、ドキュメントＩＤとサムネイル画像を含む電子メールＥＭを携帯端末装置２へ送信する。そして、ドキュメント処理装置１は、携帯端末装置２から近距離無線通信によりドキュメントＩＤを含む出力指示が入力されると、ドキュメントＩＤに該当するドキュメントを印刷してドキュメント原稿ＤＢを出力する。
【００２０】
図２に示す例はドキュメント処理装置１をネットワークＮで接続される送信側装置１Ａと出力側装置１Ｂとに分離したシステム構成であり、送信側装置１Ａには、ドキュメント原稿ＤＡを光学読取するスキャナ機能や、電子メールＥＭ等のネットワーク通信機能等を備え、出力側装置１Ｂには、近距離無線通信機能や、ドキュメントを印刷してドキュメント原稿ＤＢを出力するプリンタ機能等を備えている。
なお、これらは同様な機能を有する複合機で構成することができる。
【００２１】
図２に示す例では、送信側装置１Ａが、ドキュメント原稿ＤＡからドキュメントを読み取って入力し、当該ドキュメントにドキュメント識別子（ＩＤ）を付与し、また、当該ドキュメントのサムネイル画像を生成して、ドキュメントＩＤとサムネイル画像を含む電子メールＥＭを携帯端末装置２へ送信する。そして、出力側装置１Ｂは、携帯端末装置２から近距離無線通信によりドキュメントＩＤを含む出力指示が入力されると、当該ドキュメントＩＤに該当するドキュメントをネットワークＮを通して送信側装置１Ａに要求し、これに応じて送信側装置１ＡからネットワークＮを通して受信したドキュメントを印刷してドキュメント原稿ＤＢを出力する。
【００２２】
図３に示す例は、上記例のようにドキュメント処理装置１をネットワークＮで接続される送信側装置１Ａと出力側装置１Ｂとに分離し、更に、サムネイル画像の送信を仲介するサーバＳをネットタークＮに設けたシステム構成である。
図３に示す例では、送信側装置１Ａが、ドキュメント原稿ＤＡからドキュメントを読み取って入力し、当該ドキュメントにドキュメント識別子（ＩＤ）を付与し、また、当該ドキュメントのサムネイル画像を生成して、当該サムネイル画像をサーバＳへ登録し、ドキュメントＩＤとサムネイル画像の識別子（ＵＲＬ）を含む電子メールＥＭを携帯端末装置２へ送信する。
【００２３】
本例では、携帯端末装置２が、ドキュメントＩＤと共に受信したサムネイル画像ＵＲＬに基づいてサーバＳからネットワークＮを通して該当するサムネイル画像を取得し、当該サムネイル画像を画面２２に表示することができる。
そして、出力側装置１Ｂは、携帯端末装置２から近距離無線通信によりドキュメントＩＤを含む出力指示が入力されると、当該ドキュメントＩＤに該当するドキュメントをネットワークＮを通して送信側装置１Ａに要求し、これに応じて送信側装置１ＡからネットワークＮを通して受信したドキュメントを印刷してドキュメント原稿ＤＢを出力する。
なお、送信側装置１ＡがサーバＳに入力したドキュメントをネットワークＮを通して送信して登録しておき、出力側装置１ＢがサーバＳにドキュメントＩＤに該当するドキュメントを要求して印刷出力するようにしてもよい。
【００２４】
図４には、図１に示すシステムを構成するドキュメント処理装置１の機能構成を示してある。
ドキュメント処理装置１は、ドキュメント入力手段１１、ＩＤ付与手段１２、ドキュメント保持手段１３、サムネイル生成手段１４、電子メール作成手段１５、電子メール送信手段１６、出力指示入力手段１７、ドキュメント出力手段１８を備えている。
なお、図４にはサーバＳに生成したサムネイル画像を送信して登録するサムネイル登録手段１０が示されているが、当該手段１０はドキュメント処理装置を図３のシステムに適用した場合に用いられる。
【００２５】
ドキュメント入力手段１１はドキュメントを入力する手段であり、図１や図２に示すシステムでは、ドキュメント入力手段１１はスキャナ手段から構成されてドキュメント原稿ＤＡを光学読取してドキュメント（電子データ）を入力する。
なお、ドキュメント入力手段１１は、データベースからドキュメント（電子データ）を読み出し入力する機構、ネットワーク上のＷｅｂサイトにアクセスしてドキュメント（電子データ）を取得入力する機構等、ドキュメントデータを取り込む種々な方法を用いることができ、また、図３にシステムのようにドキュメント処理装置１（送信側装置１Ａ）をパーソナルコンピュータで構成する場合には、ユーザの操作入力でドキュメントを生成して内部データとするパーソナルコンピュータ１Ａのドキュメント編集機能とすることができる。
【００２６】
ＩＤ付与手段１２は、ドキュメント入力手段１１で入力したドキュメントに固有のドキュメントＩＤ（識別子）を付与する手段であり、入力された各ドキュメントはドキュメントＩＤにより特定される。
ドキュメント保持手段１３は入力された各ドキュメントをドキュメントＩＤと共に記憶する記憶手段であり、後述する出力処理のためにドキュメントを保持する。
サムネイル生成手段１４は入力されたドキュメントから携帯端末装置２で画面表示できるサムネイル画像を生成する手段であり、例えば、入力されたドキュメント電子画像データに縦横等倍の縮小を施してサムネイル画像を生成する。
【００２７】
電子メール作成手段１５は入力されたドキュメントのドキュメントＩＤ及びサムネイル画像を携帯端末装置２へ送信処理する手段であり、本例では、携帯端末装置２を受信者アドレスとした電子メールにドキュメントＩＤとサムネイル画像を含めて送信する。
より具体的には、図８に示すように、電子メールＥＭの本体４０にドキュメントＩＤを記述し、サムネイル画像は当該電子メール本体４０に添付される添付ファイル４１に含める。このように電子メール形式とすることにより、携帯端末装置とのデータ通信として普及している電子メールシステムを利用してドキュメントＩＤ及びサムネイル画像の送信を行うことができる。
【００２８】
ここで、ドキュメントＩＤ（例えば、ａｂｃｄ）は、電子メール本体４０の本文部分４３に記述する場合には「？ａｂｃｄ？（ＩＤ）」といったように区切り文字（？）で囲んだり、識別記号（ＩＤ）を付加する等して記述し、これを受信した携帯端末装置２においてドキュメントＩＤ（ａｂｃｄ）を他の記述と区別して容易に抽出できるようにするのが好ましい。
【００２９】
また、電子メールシステムの規格の不整合等から電子メールを送信しても本文部分４３が削除されてヘッダ部４２のみが相手側に受信される場合が生じてしまうことが想定されるが、このような事態に対処するために、ドキュメントＩＤをヘッダ部４２に記述するのが好ましい。
この場合には、ドキュメントＩＤを送信者アドレス欄やタイトル欄に記述するのが好ましく、更には、上記ように区切り文字で囲んだり、識別記号（ＩＤ）を付加する等して、これを受信した携帯端末装置２においてドキュメントＩＤを他の記述と区別して容易に抽出できるようにするのが好ましい。
【００３０】
また、ドキュメントＩＤはサムネイル画像中に記述したり埋め込んで送信するようにしてもよく、ドキュメントＩＤをサムネイル画像に埋め込む場合には、例えば、サムネイル画像を構成する画素の輝度や濃度をドキュメントＩＤコードによって変化させるといった公知の方法を用いればよい。
なお、図３のシステムのようにサムネイル画像ＩＤを送信する場合には、当該サムネイル画像ＩＤを電子メール本体４０に上記のように記述すればよく、これによって、添付ファイル４１を不要とすることができる。
【００３１】
電子メール送信手段１６は、上記のように構成された携帯端末装置２宛の電子メールを公衆回線等を介して携帯端末装置２へ送信する。
出力指示入力手段１７は赤外線通信機等の近距離無線津新手段であり、携帯端末装置２から出力指示を受信する。
ドキュメント出力手段１８はドキュメントを画面表示等して可視化出力する手段であり、本例では、ドキュメントを印刷してドキュメント原稿ＤＢを排出する。
【００３２】
ここで、本例では、複合機やパーソナルコンピュータ等のコンピュータハードウエアで本発明に係るプログラムを実行することにより、ドキュメント処理手段１が備えるサムネイル登録手段１０、電子メール作成手段１５、電子メール送信手段１６、出力指示入力手段１７、ドキュメント出力手段１８等の各機能手段１０〜１９を構成している。
【００３３】
図５には、図１乃至図３に示すシステムを構成する携帯端末装置２の機能構成を示してある。
携帯端末装置２は、操作手段２１、表示手段２２、無線通信手段２３、出力指示出力手段２４、近距離通信手段２５を備えている。
なお、図５にはサーバＳに生成したサムネイル画像を取得するサムネイル取得手段２０が示されているが、当該手段２０は携帯端末装置２を図３のシステムに適用した場合に用いられる。
【００３４】
無線通信手段２３はドキュメント処理装置１（送信側装置１Ａ）からの電子メールを基地局を介して無線受信する手段である。
なお、受信した電子メールから、表示手段２２によりサムネイル画像が抽出されて画面表示され、また、出力指示手段２４によりドキュメントＩＤが抽出されて出力指示に含められる。
【００３５】
出力指示出力手段２４は操作手段からのユーザ指示に応じてドキュメントＩＤを含む出力指示を生成し、近距離通信手段２５は出力指示が生成されると赤外線等の近距離通信方式でドキュメント処理装置（出力指示入力手段１７）へ送信する。
なお、図３のシステムに適用した場合には、サムネイル取得手段２０が受信電子メールからサムネイルＵＲＬを抽出して、当該サムネイルＵＲＬを含む要求を無線通信手段２３によりサーバＳへ送信して該当するサムネイル画像を取得し、当該サムネイル画像を表示手段２２が画面表示する。
【００３６】
上記のような機能を有するドキュメント処理装置１と携帯端末装置２により、図１にシステムは次のように動作する。
まず、ドキュメント処理装置１において、ドキュメント入力手段１１でドキュメント原稿ＤＡからドキュメントを読み取って入力し、当該ドキュメントにＩＤ付与手段１２がドキュメントＩＤを付与して、当該ドキュメントとドキュメントＩＤとを対応付けてドキュメント保持手段１３に保持する。また、上記のドキュメントからサムネイル生成手段１４がサムネイル画像を生成し、当該サムネイル画像とドキュメントＩＤとを含む電子メールＥＭを電子メール作成手段１５が作成して、電子メール送信手段１６が当該電子メールＥＭを携帯端末装置２へ送信する。
【００３７】
携帯端末装置２では、無線通信手段２３で電子メールＥＭを受信し、表示手段２２が当該電子メールから抽出したサムネイル画像を携帯端末装置２の画面に表示する。これによって、携帯端末装置２は原稿出力することができるドキュメントを確認することができる。
そして、ユーザが近距離通信手段２５をドキュメント処理装置１へ向けて操作手段２１から原稿出力を指示すると、出力指示出力手段２４が受信電子メールＥＭから抽出したドキュメントＩＤを含む出力指示を作成し、近距離通信手段２５が近距離無線通信により当該出力指示をドキュメント処理装置１へ送信する。
【００３８】
そして、ドキュメント処理装置１では、携帯通信端末装置２からの出力指示を出力指示入力手段１７で受信し、ドキュメント出力手段１７が受信した出力指示に含まれるドキュメントＩＤに基づいて該当するドキュメントをドキュメント保持手段１３から取得して、当該ドキュメントを印刷してドキュメント原稿ＤＢを排出する。
したがって、携帯端末装置２のユーザはサムネイル画像により内容を確認した上で、所望のドキュメントを原稿ＤＢとして得ることができる。
【００３９】
図６と図７には、図２や図３に示すシステムを構成する送信側装置１Ａと出力側装置１Ｂの機能構成を示してある。
送信側装置１Ａと出力側装置１Ｂは、上記のドキュメント処理装置１に備えられる機能を分担した構成であり、これに加えて、送信側装置１Ａは、出力側装置１ＢからのドキュメントＩＤを含むドキュメント要求をネットワークＮを通して受信するドキュメント要求受信手段５１と、当該要求に応じて当該ドキュメントＩＤのドキュメントをドキュメント保持手段１３から取得し、ネットワークＮを通して出力側装置１Ｂへ送信するドキュメント送信手段５２とを備え、出力側装置１Ｂは、携帯端末装置２から出力指示入力手段１７で受信した出力指示のドキュメントＩＤを含むドキュメント要求を作成して、当該ドキュメント要求をネットワークＮを通して送信側装置１Ａへ送信するドキュメント要求送信手段５３と、送信側装置１ＡへからネットワークＮを通してドキュメントを受信して、ドキュメント出力手段１８へ出力するドキュメント受信手段５４とを備えている。
【００４０】
すなわち、送信側装置１Ａには、サムネイル登録手段１０、ドキュメント入力手段１１、ＩＤ付与手段１２、ドキュメント保持手段１３、サムネイル生成手段１４、電子メール作成手段１５、電子メール送信手段１６、ドキュメント要求受信手段５１、ドキュメント送信手段５２が備えられている。
また、出力側装置１Ｂには、出力指示入力手段１７、ドキュメント出力手段１８、ドキュメント要求送信手段５３、ドキュメント受信手段５４が備えられている。
【００４１】
上記のような機能を有する送信側装置１Ａ及び出力側装置１Ｂと携帯端末装置２により、図２にシステムは次のように動作する。
まず、送信側装置１Ａにおいて、ドキュメント入力手段１１でドキュメント原稿ＤＡからドキュメントを読み取って入力し、当該ドキュメントにＩＤ付与手段１２がドキュメントＩＤを付与して、当該ドキュメントとドキュメントＩＤとを対応付けてドキュメント保持手段１３に保持する。また、上記のドキュメントからサムネイル生成手段１４がサムネイル画像を生成し、当該サムネイル画像とドキュメントＩＤとを含む電子メールＥＭを電子メール作成手段１５が作成して、電子メール送信手段１６が当該電子メールＥＭを携帯端末装置２へ送信する。
【００４２】
携帯端末装置２では、無線通信手段２３で電子メールＥＭを受信し、表示手段２２が当該電子メールから抽出したサムネイル画像を携帯端末装置２の画面に表示する。これによって、携帯端末装置２のユーザは原稿出力することができるドキュメントを確認することができる。
そして、ユーザが近距離通信手段２５を出力側装置１Ｂへ向けて操作手段２１から原稿出力を指示すると、出力指示出力手段２４が受信電子メールＥＭから抽出したドキュメントＩＤを含む出力指示を作成し、近距離通信手段２５が近距離無線通信により当該出力指示を出力側装置１Ｂへ送信する。
【００４３】
そして、出力側装置１Ｂでは、携帯通信端末装置２からの出力指示を出力指示入力手段１７で受信し、ドキュメント要求送信手段５３が受信した出力指示に含まれるドキュメントＩＤによりドキュメント要求を送信側装置１Ａへ送信する。
送信側装置１Ａでは、ドキュメント要求受信手段５１がドキュメント要求を受信し、ドキュメント送信手段５２が受信したドキュメント要求に含まれるドキュメントＩＤに基づいて該当するドキュメントをドキュメント保持手段１３から取得して、当該ドキュメントを出力側装置１Ｂへ送信する。
【００４４】
そして、出力側装置１Ｂでは、ドキュメント受信手段５４が送信側装置１Ａからのドキュメントを受信し、ドキュメント出力手段１７が受信したドキュメントを印刷してドキュメント原稿ＤＢを排出する。
したがって、携帯端末装置２のユーザはサムネイル画像により内容を確認した上で、所望のドキュメントを原稿ＤＢとして得ることができる。
【００４５】
上記のような機能を有する送信側装置１Ａ及び出力側装置１Ｂと携帯端末装置２により、図３にシステムは次のように動作する。
まず、送信側装置１Ａにおいて、ドキュメント入力手段１１でドキュメント原稿ＤＡからドキュメントを読み取って入力し、当該ドキュメントにＩＤ付与手段１２がドキュメントＩＤを付与して、当該ドキュメントとドキュメントＩＤとを対応付けてドキュメント保持手段１３に保持する。また、上記のドキュメントからサムネイル生成手段１４がサムネイル画像を生成し、サムネイル登録手段１０が当該サムネイル画像をネットワークＮを通してサーバＳに登録し、当該登録サムネイル画像のＵＲＬを取得する。そして、送信側装置１Ａでは、サムネイル画像のＵＲＬとドキュメントＩＤとを含む電子メールＥＭを電子メール作成手段１５が作成して、電子メール送信手段１６が当該電子メールＥＭを携帯端末装置２へ送信する。
【００４６】
携帯端末装置２では、無線通信手段２３で電子メールＥＭを受信し、サムネイル取得手段２０が当該電子メールから抽出したサムネイル画像ＵＲＬに基づいてサーバＳから該当するサムネイル画像を取得し、表示手段２２が当該取得したサムネイル画像を携帯端末装置２の画面に表示する。これによって、携帯端末装置２のユーザは原稿出力することができるドキュメントを確認することができる。
そして、ユーザが近距離通信手段２５を出力側装置１Ｂへ向けて操作手段２１から原稿出力を指示すると、出力指示出力手段２４が受信電子メールＥＭから抽出したドキュメントＩＤを含む出力指示を作成し、近距離通信手段２５が近距離無線通信により当該出力指示を出力側装置１Ｂへ送信する。
【００４７】
そして、出力側装置１Ｂでは、携帯通信端末装置２からの出力指示を出力指示入力手段１７で受信し、ドキュメント要求送信手段５３が受信した出力指示に含まれるドキュメントＩＤによりドキュメント要求を送信側装置１Ａへ送信する。
送信側装置１Ａでは、ドキュメント要求受信手段５１がドキュメント要求を受信し、ドキュメント送信手段５２が受信したドキュメント要求に含まれるドキュメントＩＤに基づいて該当するドキュメントをドキュメント保持手段１３から取得して、当該ドキュメントを出力側装置１Ｂへ送信する。
【００４８】
そして、出力側装置１Ｂでは、ドキュメント受信手段５４が送信側装置１Ａからのドキュメントを受信し、ドキュメント出力手段１７が受信したドキュメントを印刷してドキュメント原稿ＤＢを排出する。
したがって、携帯端末装置２のユーザはサムネイル画像により内容を確認した上で、所望のドキュメントを原稿ＤＢとして得ることができる。例えば、送信側装置１Ａがオフィスに設置され、出力側装置１Ｂがユーザの出先に設置されている場合には、携帯端末装置２を有するユーザは、オフィスで入力されたドキュメントをその内容を確認した上で出先で取得することができる。
【図面の簡単な説明】
【００４９】
【図１】本発明の一実施例に係るドキュメント処理システムの構成図である。
【図２】本発明の一実施例に係るドキュメント処理システムの構成図である。
【図３】本発明の一実施例に係るドキュメント処理システムの構成図である。
【図４】本発明の一実施例に係るドキュメント処理装置の構成図である。
【図５】本発明の一実施例に係る携帯端末装置の構成図である。
【図６】本発明の一実施例に係る送信側装置の構成図である。
【図７】本発明の一実施例に係る出力側装置の構成図である。
【図８】本発明の一実施例に係る電子メールの構成図である。
【符号の説明】
【００５０】
１：ドキュメント処理装置、  １Ａ：送信側装置、
１Ｂ：出力側装置、  ２：携帯端末装置、
１０：サムネイル登録手段、  １１：ドキュメント入力手段、
１２：ＩＤ付与手段、  １３：ドキュメント保持手段、
１４：サムネイル生成手段、  １５：電子メール作成手段、
１６：電子メール送信手段、  １７：出力指示入力手段、
１８：ドキュメント出力手段、  ２０：サムネイル取得手段、
２１：操作手段、  ２２：表示手段、
２３：無線通信手段、  ２４：出力指示出力手段、
２５：近距離通信手段、  ４１：添付ファイル、
４２：ヘッダ部、  ４３：本文部、
５１：ドキュメント要求受信手段、
５２：ドキュメント送信手段、  ５３：ドキュメント要求送信手段、
５４：ドキュメント受信手段、  ＤＡ、ＤＢ：ドキュメント
ＥＭ：電子メール、  Ｓ：サーバ、
【図１】
2006146625.tif 000003
【図２】
2006146625.tif 000004
【図３】
2006146625.tif 000005
【図４】
2006146625.tif 000006
【図５】
2006146625.tif 000007
【図６】
2006146625.tif 000008
【図７】
2006146625.tif 000009
【図８】
2006146625.tif 000010